(57)【要約】      （修正有）【課題】クランプ本体のスリット口部内に挿入される被吊上物自体、または吊ピースに設けられたピン挿通孔内にその先端部側が挿脱可能な係合ピン体に対するロックピンのロックが三重に行え、安全性が高く、取扱い操作が簡単で工事の施工性が良好になり、構造簡単であり、部品数も少なく、製作、組立を容易にする吊りクランプを提供する。【解決手段】ロック手段７は、クランプ本体１と外端ボス部９との間にばね材１０を介して挿着される筒状ケース１１と、外端ボス部に設けたハンドル１２と、筒状ケースの外周にハンドルをロック位置Ｒ１に拘束可能に設けたロック溝部１３と拘束を解放可能にロック溝部に連設された摺動溝部１４よりなる正面視略Ｌ字状の案内溝１５と、係合ピン体がロック位置からの移動を規制可能とし、復帰ばね１７を介して軸芯方向Ｏに外部操作可能に出没自在なロックピン１６とを備えた。【選択図】図１
0003163697.tif 000002
【実用新案登録請求の範囲】
【請求項１】
被吊上物自体、または被吊上物に設けた吊ピースが差込可能になるスリット口部を下部中央に有し、上部には吊り環部を設けたクランプ本体と、前記被吊上物自体、または前記吊ピースに設けたピン挿通孔内にその先端部側が前記スリット口部への被吊上物の差込方向とは交差する厚み方向に抜差可能に設けられる係合ピン体と、前記係合ピン体の挿入時に該係合ピン体の移動を拘束するロック手段と、を備えた吊りクランプであって、
前記ロック手段は、
前記クランプ本体の外側に設けられ、外端ボス部が基端部に嵌挿された前記係合ピン体の基端側が、前記クランプ本体と前記外端ボス部との間に介装されるばね材を介して挿着される筒状ケースと、
前記外端ボス部に設けられ、前記筒状ケースの半径方向に伸びるハンドルと、
前記筒状ケースの外周に設けられ、周方向に前記ハンドルをロック位置に拘束可能な短寸のロック溝部、および前記ハンドルのロック位置において拘束を解放可能に前記ロック溝部に連設されて前記筒状ケースの軸方向に伸びる長寸の摺動溝部よりなる正面視略Ｌ字状の案内溝と、
前記筒状ケースの外周に設けられ、前記係合ピン体がロック位置から移動されるのを規制可能とし、復帰ばねを介して軸芯方向に向けて外部操作可能に前記摺動溝内に出没自在に設けられたロックピンと、を備え、
前記案内溝から前記ハンドルが外部に操作可能に突出された、
ことを特徴とする吊りクランプ。
【請求項２】
ハンドルがロック位置において突出可能となる前記案内溝の前記ロック溝部と、前記ロックピンとは、側面視略上下対称位置に設けられていることを特徴とする請求項１に記載の吊りクランプ。
【請求項３】
前記ハンドル、および前記ロックピンには、遠隔操作可能に索状体が取付けられていることを特徴とする請求項１または２に記載の吊りクランプ。
【請求項４】
前記吊りクランプが、前記クランプ本体と、該クランプ本体の右側に前記筒状ケースと、前記ハンドルと、前記ハンドルが突出される前記案内溝と、前記ロックピンとが配置された右勝手であるものと、前記クランプ本体と、該クランプ本体の左側に前記筒状ケースと、前記ハンドルと、前記ハンドルが突出される前記案内溝と、前記ロックピンとが配置された左勝手であるものとの、勝手違いの１対が組合わされることにより、前記被吊上物が挟持され、吊上げ移送されることを特徴とする請求項１−３の何れかに記載の吊りクランプ。
【考案の詳細な説明】
【技術分野】
【０００１】
本考案は吊りクランプに関し、例えば土木工事における橋桁、高架道路のコンクリート基礎を構築するための杭内工法に用いる管状ケーシング、また建築工事においてビル、マンションに用いる鉄骨柱の被吊上物の吊上時の安全性を高め、工事の施工性を効率良く行なうものである。
【背景技術】
【０００２】
従来、例えばビル建設をするのに、被吊上物として鉄骨柱をクレーンで吊上げるための吊りクランプには、被吊上物に吊上げ用に設けられた吊ピースが差込可能にスリット口部を下部中央に縦状に有し、上部には吊り環部を設けたクランプ本体と、前記スリット口部には前記吊ピースに設けられたピン挿通孔内にその先端部側が挿脱可能に前記スリット口部の被吊上物の差込方向とは交差方向にモータの駆動力により、ラック、ピニオンの動力伝達部品を介して抜差可能に設けられる係合ピン体と、前記係合ピン体の挿入時に該係合ピン体の移動を拘束する無線により制御、励磁されるソレノイドにより駆動可能なロックピンを有するロック手段と、を備えたものがある。
【０００３】
そして、この吊りクランプでは、鉄骨柱の据付工事を高所において行うのに、先ず、無線による遠隔操作入力により、クランプ本体に設けられたロック手段の係合ピン体によるロックを自動的に解除する。次いで、遠隔操作入力によりモータを駆動し、その駆動力をラック、ピニオンの動力伝達部品を介して受動し、クランプ本体に設けられたスリット口部を横切っている係合ピン体をスリット口部から抜き出す。それから、前記スリット口部内に被吊上物に設けられた吊ピースを差し入れ、再び無線による遠隔操作入力により、モータを駆動して動力伝達部品を介して係合ピン体をスリット口部内に差し込まれている被吊上物の吊ピースにおけるピン挿通孔内に挿通し、制御手段のソレノイドを励磁させてロックピンにて係合ピン体をロックし、被吊上物を玉掛けしてクレーンにより吊上げ、被吊上物の据付工事を行う。このように、作業者は、高所や、人手が危険な場所に出向かなくても、遠隔場所においてクランプ本体に設けられたスリット口部への吊ピースの挿入、また、吊ピースに対する係合ピン体への挿入、そして、ロックピンにより係合ピン体に対するロックを行った後に、被吊上物の吊上げ、移動、係合ピン体に対するロックピンによるロックの解除、被吊上物のピン挿通孔からの係合ピン体の脱挿、クランプ本体のスリット口部からの取外しを遠隔操作により行うものがあった（例えば、特許文献１参照）。
【先行技術文献】
【特許文献】
【０００４】
【特許文献１】実開昭６０−３３５８７号公報
【考案の概要】
【考案が解決しようとする課題】
【０００５】
ところで、上記特許文献１に記載の上記従来の吊りクランプでは、被吊上物としての鉄骨柱の吊上時に、クランプ本体に設けられたスリット口部内に差し込まれた被吊上物の吊ピースのピン挿通孔内に挿通される係合ピン体に、ソレノイドを励磁させることにより駆動されるロックピンがロックされて被吊上物を玉掛けしてクレーンにより被吊上物は吊上げられるので、被吊上物の吊上げ中や据付工事中に振動や風圧が加わると、ピン挿通孔内に挿通される係合ピン体に対してロックピンの係合が外れ、危険であり、安全性が充分であるとは言えなかった。
【０００６】
また、上記特許文献１に記載の上記従来の吊りクランプでは、被吊上物のピン挿通孔に対する係合ピン体の挿脱操作は、無線により制御されるモータを駆動源としてラックやピニオンの動力伝達部品によりモータからの駆動力が受動され、しかも、係合ピン体に対するロックピンによる係脱操作は無線により制御されるソレノイドを駆動して行われるので、構造が複雑になり、多くの部品が必要になり、製作および組付けが容易ではなく、多くの時間、および労力がかかり、製作コストは高価であった。
【０００７】
本考案は上記従来の問題点を解決するとともに、クランプ本体のスリット口部内に挿入される被吊上物自体、または被吊上物の吊ピースに設けられたピン挿通孔内にその先端部側が挿脱可能な係合ピン体に対するロックピンのロックが三重に行え、安全性が高く、取扱い操作が簡単で工事の施工性が良好になり、また、構造簡単で部品数も少なく、製作および組立が容易であり、製作コストが安価な吊りクランプを提供するものである。
【課題を解決するための手段】
【０００８】
本考案の請求項１に記載の考案は、
被吊上物自体、または被吊上物に設けた吊ピースが差込可能になるスリット口部を下部中央に有し、上部には吊り環部を設けたクランプ本体と、前記被吊上物自体、または前記吊ピースに設けたピン挿通孔内にその先端部側が前記スリット口部への被吊上物の差込方向とは交差する厚み方向に抜差可能に設けられる係合ピン体と、前記係合ピン体の挿入時に該係合ピン体の移動を拘束するロック手段と、を備えた吊りクランプであって、
前記ロック手段は、
前記クランプ本体の外側に設けられ、外端ボス部が基端部に嵌挿された前記係合ピン体の基端側が、前記クランプ本体と前記外端ボス部との間に介装されるばね材を介して挿着される筒状ケースと、
前記外端ボス部に設けられ、前記筒状ケースの半径方向に伸びるハンドルと、
前記筒状ケースの外周に設けられ、周方向に前記ハンドルをロック位置に拘束可能な短寸のロック溝部、および前記ハンドルのロック位置において拘束を解放可能に前記ロック溝部に連設されて前記筒状ケースの軸方向に伸びる長寸の摺動溝部よりなる正面視略Ｌ字状の案内溝と、
前記筒状ケースの外周に設けられ、前記係合ピン体がロック位置から移動されるのを規制可能とし、復帰ばねを介して軸芯方向に向けて外部操作可能に前記摺動溝内に出没自在に設けられたロックピンと、を備え、
前記案内溝から前記ハンドルが外部に操作可能に突出された、
ことを特徴とする。
【０００９】
また、本考案の請求項２に記載の考案は、請求項１において、ハンドルがロック位置において突出可能となる前記案内溝の前記ロック溝部と、前記ロックピンとは、側面視略上下対称位置に設けられていることを特徴とする。
【００１０】
また、本考案の請求項３に記載の考案は、請求項１または２において、前記ハンドル、および前記ロックピンには、遠隔操作可能に索状体が取付けられていることを特徴とする。
【００１１】
また、本考案の請求項４に記載の考案は、請求項１−３の何れかにおいて、前記吊りクランプが、前記クランプ本体と、該クランプ本体の右側に前記筒状ケースと、前記ハンドルと、前記ハンドルが突出される前記案内溝と、前記ロックピンが配置された右勝手であるものと、前記クランプ本体と、該クランプ本体の左側に前記筒状ケースと、前記ハンドルと、前記ハンドルが突出される前記案内溝と、前記ロックピンが配置された左勝手であるものとの、勝手違いの１対が組合わされることにより、前記被吊上物が挟持され、吊上げ移送されることを特徴とする。
【考案の効果】
【００１２】
本考案の請求項１に記載の考案によれば、被吊上物自体、または被吊上物に設けた吊ピースが差込可能になるスリット口部を下部中央に有し、上部には吊り環部を設けたクランプ本体と、前記被吊上物自体、または前記吊ピースに設けたピン挿通孔内にその先端部側が前記スリット口部への被吊上物の差込方向とは交差する厚み方向に抜差可能に設けられる係合ピン体と、前記係合ピン体の挿入時に該係合ピン体の移動を拘束するロック手段と、を備えた吊りクランプであって、前記ロック手段は、前記クランプ本体の外側に設けられ、外端ボス部が基端部に嵌挿された前記係合ピン体の基端側が、前記クランプ本体と前記外端ボス部との間に介装されるばね材を介して挿着される筒状ケースと、前記外端ボス部に設けられ、前記筒状ケースの半径方向に伸びるハンドルと、前記筒状ケースの外周に設けられ、周方向に前記ハンドルをロック位置に拘束可能な短寸のロック溝部、および前記ハンドルのロック位置において拘束を解放可能に前記ロック溝部に連設されて前記筒状ケースの軸方向に伸びる長寸の摺動溝部よりなる正面視略Ｌ字状の案内溝と、前記筒状ケースの外周に設けられ、前記係合ピン体がロック位置から移動されるのを規制可能とし、復帰ばねを介して軸芯方向に向けて外部操作可能に前記摺動溝内に出没自在に設けられたロックピンと、を備え、前記案内溝から前記ハンドルが外部に操作可能に突出されたので、例えば土木工事における橋桁、高架道路のコンクリート基礎を構築するための杭内工法に用いる管状ケーシング、また建築工事としてビル、マンションに用いる鉄骨柱の被吊上物を吊上げ、移送して所望の工事を行うのには、先ず、ばね材の附勢力を受けて筒状ケース内に収容されて移動が拘束され、しかも、先端側がスリット口部内に進出している係合ピン体のロックを、筒状ケースの外周に復帰ばねを介してその先端を軸芯方向に向けて摺動溝部内に突出しているロックピンを復帰ばねの附勢力に抗して引下げることにより解く。
【００１３】
このように、ロックピンのロックを解いた後に、ハンドルを正面視略Ｌ字状の案内溝のロック溝部から摺動溝部内に一致するように切り換えると、ばね材の附勢力により、ハンドルは摺動溝部内を移動し、係合ピン体は筒状ケース内を図において右側（軸方向）に移動し、係合ピン体の先端側はクランプ本体のスリット口部から退出される。この状態において、クランプ本体のスリット口部内に被吊上物自体を挿入するか、または図には示さないが被吊上物の吊ピースを挿入する。
【００１４】
次いで、ハンドルを案内溝の摺動溝部内においてばね材の附勢力に抗して押込むと、係合ピン体は、先端側がスリット口部内に突出してスリット口部内に挿入されている被吊上物自体に設けられているピン挿通孔、または図には示さないが、被吊上物の吊ピースに設けられているピン挿通孔内に挿通されて行く。
【００１５】
そして、ハンドルが前記摺動溝部の終端に到り、ハンドルの外端ボス部の図において右側面下部がロックピンを通過すると、ハンドルを摺動溝部から、該摺動溝部に連設されるロック溝部へと周方向へ交差して切り換え、ロック溝部の終端に押込み、ロックさせ、不用意な移動を阻止する。こうして、被吊上物はクランプ本体にクランプされてクレーンにより吊上げ、移送され、所望の工事が行われる。
【００１６】
従って、ハンドルが係合ピン体を収容する摺動溝部に交差するロック溝部の終端に押込まれて摩擦係合力を受けるのと、ハンドルを筒状ケースの周方向に設けられたロック溝部の終端から軸方向に設けられた摺動溝部へと移動方向を切換えるのに、方向が異なる移動距離が確保されて充分な摩擦係合力が確保されるのと、係合ピン体がロックピンによりロックされるのと、の三重のロックが係合ピン体に掛かるので、係合ピン体は、被吊上物の吊上げ、移送中に振動や、風圧がかかっても、高い安全性の下で被吊上物を吊上げ、移送することができる。
【００１７】
すなわち、正面視略Ｌ字状の案内溝におけるロック溝部の終端に押込まれたハンドルは、係合ピン体を収容する摺動溝部へと移動方向を切換えるのに、ロック溝部が摺動溝とは方向が異なり、移動距離が充分に確保されているので、仮にハンドルがロック溝部から摺動溝部に切り換えられても、係合ピン体はロックピンによりロックされて不用意な移動が拘束されているため、安全性が充分に確保される。
【００１８】
このように、三重に安全性が確保されるので、高所等、作業者から離れた距離から作業者は索状体を引いて遠隔操作により、ハンドル、およびロックピンを操作して安全性を得るのに限らず、作業者は作業個所に近づいて自らロックピンを復帰ばねの附勢力に抗して引き下げ、次いでハンドルを把持して前記案内溝のロック溝部からハンドルを摺動溝部へと移動方向を切換えると、ばね材の附勢力により自動的に係合ピン体はクランプ本体のスリット口部から退避され、ピン挿通孔から脱挿し、吊りクランプの被吊上物に対するクランプ状態が解放され、被吊上物を安全に取外すことができる。
【００１９】
また、本考案の請求項２に記載の考案によれば、請求項１において、ハンドルがロック位置において突出可能となる前記案内溝の前記ロック溝部と、前記ロックピンとは、側面視略上下対称位置に設けられているので、クランプ本体の外側に設けた筒状ケースの外周に設けられた正面視略Ｌ字状の案内溝の軸方向に伸びる摺動溝部と、該摺動溝部から周方向へと異なる方向に連設されたロック溝部との間のハンドル操作と、ロックピンによる係合ピン体に対するロックと、ロックの解除を行うためのロックピンによる操作とを、相互に邪魔することなく容易かつ確実に行える。従って、ロックピンの解放、クランプ本体のスリット口部への被吊上物、または被吊上物の吊ピースの挿入、被吊上物、または被吊上物に設けられた吊ピースに設けられたピン挿通孔内への係合ピン体の挿入による被吊上物のクランプ、係合ピン体のロックピンによるロック、係合ピン体のロックの解除、被吊上物、または被吊上物の吊ピースに設けられたピン挿通孔からの係合ピン体の脱挿、被吊上物のスリット口部からの取外しの各動作を応答性が良く行え、動作の確実性を期すことができる。
【００２０】
また、本考案の請求項３に記載の考案によれば、請求項１または２において、前記ハンドル、および前記ロックピンには、遠隔操作可能に索状体が取付けられているので、索状体を牽引操作することにより、ハンドル、およびロックピンを遠隔操作することができる。
【００２１】
また、本考案の請求項４に記載の考案によれば、請求項１−３の何れかにおいて、前記吊りクランプが、前記クランプ本体と、該クランプ本体の右側に前記筒状ケースと、前記ハンドルと、前記ハンドルが突出される前記案内溝と、前記ロックピンが配置された右勝手であるものと、前記クランプ本体と、該クランプ本体の左側に前記筒状ケースと、前記ハンドルと、前記ハンドルが突出される前記案内溝と、前記ロックピンが配置された左勝手であるものとの、勝手違いの１対が組合わされることにより、前記被吊上物が挟持され、吊上げ移送されるので、例えば土木工事における橋桁、高架道路のコンクリート基礎を構築するための杭内工法に用いる管状ケーシング、また建築工事としてビル、マンションに用いる鉄骨柱の被吊上物をクレーンにより、振動や風圧を受けても、捻れたりすることなく、しかも、左右、および前後均衡して傾斜することがなく、安定して吊上げ、移送、降下することができる。そして、被吊上物に対するクランプ本体によるクランプ操作、およびクランプの解放を迅速かつ確実に行える。
【図面の簡単な説明】
【００２２】
【図１】図１は本考案の吊りクランプの実施形態を示し、被吊上物を吊上げるクランプ時の正面図である。
【図２】図２は同じく右側面図である。
【図３】図３は同じく斜視図である。
【図４】図４は同じく反対方向から見た斜視図である。
【図５】図５は同じくロック手段によるロックを解除して係合ピン体をクランプ本体のスリット口部から退避した状態の正面図である。
【図６】図６は同じく被吊上物をクランプして吊上げる状態の斜視図である。
【考案を実施するための形態】
【００２３】
以下、図面に従って本考案を実施するための最良の形態につき、詳細に説明する。
【００２４】
本実施形態は、被吊上物２自体、または被吊上物２に設けた図には示さない吊ピースが差込可能になるスリット口部３を下部中央に有し、上部には吊り環部４を設けたクランプ本体１と、前記被吊上物２自体、または前記吊ピースに設けたピン挿通孔５内にその先端部側が前記スリット口部３の被吊上物２の差込方向Ｘとは交差する厚み方向Ｔに抜差可能に設けられる係合ピン体６と、前記係合ピン体６の挿入時に該係合ピン体６の移動を拘束するロック手段７と、を備えた吊りクランプである。そして、被吊上物２としては、例えば土木工事における橋桁、高架道路のコンクリート基礎を構築するための杭内工法に用いる管状ケーシング８があり、また図には示さないが建築工事としてビル、マンションに用いる鉄骨柱がある点は、特許文献１に記載の従来の吊りクランプと同様の構成である。
【００２５】
しかしながら、本実施形態では、前記ロック手段７は、前記クランプ本体１の外側に設けられ、外端ボス部９が基端部に嵌挿された前記係合ピン体６の基端側６ａが、前記クランプ本体１と前記外端ボス部９との間に介装されるばね材１０を介して挿着される筒状ケース１１と、前記外端ボス部９に設けられ、前記筒状ケース１１の半径方向Ｐに伸びるハンドル１２と、前記筒状ケース１１の外周に設けられ、周方向に前記ハンドル１２をロック位置Ｒ１に拘束可能な短寸のロック溝部１３、および前記ハンドル１２のロック位置Ｒ１において拘束を解放可能に前記ロック溝部１３に連設されて前記筒状ケース１１の軸方向Ｉに伸びる長寸の摺動溝部１４よりなる正面視略Ｌ字状の案内溝１５と、前記筒状ケース１１の外周に設けられ、前記係合ピン体６がロック位置Ｒ１から移動されるのを規制可能とし、復帰ばね１７を介して軸芯方向Ｏに向けて外部操作可能に前記摺動溝部１４内に出没自在に設けられたロックピン１６と、を備え、前記案内溝１５から前記ハンドル１２が外部に操作可能に突出された、ことを特徴とする。
【００２６】
本実施形態では、前記ばね材１０、および前記復帰ばね１７は、図示のようにコイルばねが使用される。また、本実施形態では、前記吊りクランプが、前記クランプ本体１と、該クランプ本体１の側面、図１乃至図３、および図５においては右側に前記筒状ケース１１と、前記ハンドル１２と、前記ハンドル１２が突出される前記案内溝１５と、前記ロックピン１６が配置された右勝手であるものと、図６に見られるように前記クランプ本体１と、該クランプ本体１の左側に前記筒状ケース１１と、前記ハンドル１２と、前記ハンドル１２が突出される前記案内溝１５と、前記ロックピン１６が配置された左勝手であるものと、勝手違いの１対が組合わされる。前記筒状ケース１１は図に示すように四角筒状、または、図には示さないが、そのほかの多角状であっても良い。また、短寸Ｌ１のロック溝部１３と、長寸Ｌ２の摺動溝部１４との、具体的長さは適当なものを選定される。
【００２７】
ハンドル１２がロック位置Ｒ１において突出可能となる前記案内溝１５の前記ロック溝部１３と、前記ロックピン１６とは、図２に示すように、側面視略上下対称位置に設けられている。
【００２８】
１８,１９は、前記ハンドル１２、および前記ロックピン１６に、遠隔操作可能に取付けられた索状体であり、この索状体１８,１９を牽引操作することにより、ハンドル１２、およびロックピン１６は遠隔操作することができる。２０は前記筒状ケース１１の一端に設けた開口部を被閉するための長円形の被閉板であり、この被閉板２０は前記筒状ケース１１の一端に止ねじ２１により着脱可能に固定される。被閉板２０を筒状ケース１１に着脱可能に設けたのは、内部部品の交換、補修を容易になすためである。２２はチェーン、またはワイヤー・ロープよりなる索状吊上げ具であり、本実施形態では一端２２ａを吊り環部４に固着された２本のチェーン、またはワイヤー・ロープの他端２２ｂ,２２ｂを吊り環２３を介して中央にて集束し、上方へと、吊上げることにより、前後、左右に被吊上物２が均衡して傾きや揺れがなく、安定して吊上げが行われるようになっている。
【００２９】
本考案の吊りクランプの実施形態１は以上の構成からなり、前記係合ピン体６の移動方向に対応して前記クランプ本体１の外側には前記係合ピン体６の基端部６ａがばね材１０を介して挿脱可能となる筒状ケース１１が設けられ、前記係合ピン体６の基端部６ａに嵌挿する外端ボス部９には前記筒状ケース１１の半径方向Ｐに伸びるハンドル１２が設けられ、前記筒状ケース１１の外周には周方向Ｓに前記ハンドル１２をロック位置Ｒ１に拘束可能に設けられる短寸Ｌ１のロック溝部１３と、前記ハンドル１２のロック位置Ｒ１において拘束を解放可能に前記ロック溝部１３に連設されて軸方向Ｉに伸びる長寸Ｌ２の摺動溝部１４とよりなる正面視略Ｌ字状の案内溝１５が設けられ、前記案内溝１５からは前記ハンドル１２が外部に操作可能に突出され、前記筒状ケース１１の外周には、前記係合ピン体６がロック位置Ｒ１から移動されるのを規制可能となすロックピン１６が復帰ばね１７を介して軸芯方向Ｏに向けて外部操作可能に前記摺動溝部１４内に出没自在に設けられているので、例えば土木工事における橋桁、高架道路のコンクリート基礎を構築するための杭内工法に用いる管状ケーシング８、また図には示さないが建築工事としてビル、マンションに用いる鉄骨柱よりなる被吊上物２を吊上げ、移送して所望の工事を行うのには、先ず、ばね材１０の附勢力を受けて筒状ケース１１内に収容されて移動が拘束され、先端側がスリット口部３内に進出している係合ピン体６のロックを、筒状ケース１１の外周に復帰ばね１７を介してその先端を軸芯方向Ｏに向けて摺動溝部１４内に突出しているロックピン１６を復帰ばね１７の附勢力に抗して引下げることにより解く。
【００３０】
このようにして、ロックピン１６のロックが解かれた後に、ハンドル１２を正面視略Ｌ字状の案内溝１５の短寸Ｌ１のロック溝部１３から長寸Ｌ２の摺動溝部１４内に一致するように移動し、切り換えると、ばね材１０が伸長し、その附勢力により、ハンドル１２は摺動溝部１４内を移動され、図５に示すように係合ピン体６は筒状ケース１１内を右側に移動し、係合ピン体６の先端側はクランプ本体１のスリット口部３から退出される。この状態において、クランプ本体１のスリット口部３内に被吊上物２自体を挿入するか、または図には示さないが被吊上物２の吊ピースを挿入する。
【００３１】
次いで、ハンドル１２を正面視略Ｌ字状の案内溝１５の長寸Ｌ２の摺動溝部１４内を図においてばね材１０の附勢力に抗して左側へ押込むと、ばね材１０は縮小し、係合ピン体６は、先端側がスリット口部３内に突出してスリット口部３内に挿入されている被吊上物２自体に設けられているピン挿通孔５、または図には示さないが、被吊上物２の吊ピースに設けられているピン挿通孔５内に挿通されて行く。
【００３２】
そして、ハンドル１２が前記摺動溝部１４の終端に到り、ハンドル１２が設けられている外端ボス部９の図において右側面下部がロックピン１６を通過すると、ハンドル１２の移動方向を摺動溝部１４から、該摺動溝部１４に連設される短寸Ｌ１のロック溝部１３へと周方向Ｓへ交差して切り換え、ロック溝部１３の終端に押込み、ロックさせ、不用意な移動が阻止される。こうして、被吊上物２はクランプ本体１にクランプされてクレーンにより吊上げ、移送され、所望の工事が行われる。
【００３３】
この際、本実施形態では、前記吊りクランプが、図１乃至図３、および図５に示すように前記クランプ本体１と、該クランプ本体１の右側に前記筒状ケース１１と、前記ハンドル１２と、前記ハンドル１２が突出される前記案内溝１５と、前記ロックピン１６が配置された右勝手であるものと、図４に見られるように、前記クランプ本体１と、該クランプ本体１の左側に前記筒状ケース１１と、前記ハンドル１２と、前記ハンドル１２が突出される前記案内溝１５と、前記ロックピン１６が配置された左勝手であるものとの、勝手違いの１対が組合わされて使用されるので、例えば土木工事における橋桁、高架道路のコンクリート基礎を構築するための杭内工法に用いる管状ケーシング８、また図には示さないが建築工事としてビル、マンションに用いる鉄骨柱よりなる被吊上物２をクレーンにより吊上げる場合に、振動や風圧を受けても、捻れたり、左右、および前後均衡して傾斜することがなく、安定して吊上げ、移送、降下することができる。そして、被吊上物２に対するクランプ本体１によるクランプ操作、およびクランプの解放も迅速かつ確実に行え、取扱い、操作が容易に行える。
【００３４】
従って、係合ピン体６は、ハンドル１２が係合ピン体６を筒状ケース１１の移動方向に収容する摺動溝部１４に交差する周方向Ｓのロック溝部１３の終端に押込まれるのと、ハンドル１２を筒状ケース１１の周方向Ｓに設けられたロック溝部１３の終端から軸方向Ｉに設けられた摺動溝部１４へと移動方向を切換えるのに方向が異なる充分な移動距離を確保していること、ロックピン１６によりロックされること、の三重のロックが係合ピン体６に掛かっているので、被吊上物２を吊上げたり、移送中に振動や、風圧がかかっても、高い安全性の下で被吊上物２を吊上げたり、移送することができる。
【００３５】
すなわち、ロック溝部１３の終端に押込まれたハンドル１２は、係合ピン体６を移動方向に収容する摺動溝部１４へと移動方向を切換えるのに、方向が異なる移動距離が充分に確保され、仮にハンドル１２がロック溝部１３から摺動溝部１４に切り換えられてもロックピン１６により係合ピン体６はロックされているため、充分な安全性が確保される。
【００３６】
上述のように本実施形態の吊りクランプは安全性が確保されるので、ハンドル１２、およびロックピン１６が、高所等の作業者から離れた場所から索状体１８,１９を引いて作業を行うと言った遠隔操作によらずとも、作業者は自ら作業個所に近づき、ロックピン１６を復帰ばね１７の附勢力に抗して手動で引き下げることにより係合ピン体６に対するロックピン１６のロックを解放した後に、ハンドル１２を把持して前記案内溝１５のロック溝部１３からハンドル１２を軸方向Ｉに設けた摺動溝部１４へと移動方向を切換えると、ばね材１０の附勢力によりばね材１０は伸長し、自動的に係合ピン体６はスリット口部３から退避されて被吊上物２に設けられたピン挿通孔５から脱挿し、被吊上物２に対する係合ピン体６のクランプ状態が解放され、被吊上物２を取外すことができ、作業を終える。
【００３７】
また、ハンドル１２がロック位置Ｒ１において突出可能となる前記案内溝１５の前記ロック溝部１３と、前記ロックピン１６とは、図２に示されるように、側面視略上下対称位置に設けられているので、クランプ本体１の外側に設けた筒状ケース１１の外周に設けられた正面視略Ｌ字状の案内溝１５の軸方向Ｉに伸びる摺動溝部１４と、該摺動溝部１４から周方向Ｓへと異なる方向に連設されたロック溝部１３との間のハンドル操作と、係合ピン体６に対するロックとロックの解除とを行うためのロックピン１６による操作を容易かつ確実に行え、ロックピン１６の解放、クランプ本体１のスリット口部３への被吊上物２、または図には示さない被吊上物２の吊ピースの挿入、被吊上物２、または被吊上物２に設けられたピン挿通孔５内への係合ピン体６の挿入によるクランプ、係合ピン体６のロックピン１６によるロック、係合ピン体６のロックの解除、被吊上物２、または被吊上物２の吊ピースに設けられたピン挿通孔５、およびスリット口部３からの係合ピン体６の脱挿、被吊上物２のスリット口部３からの取外しの各動作を応答性が良く行え、動作の確実性を期すことができる。
【００３８】
なお、上記実施形態では、索状体１８,１９を牽引操作することにより、ハンドル１２、およびロックピン１６を遠隔操作する場合を代表的に説明しているが、ハンドル１２、およびロックピン１６の遠隔操作は上記説明に限ることなく、例えば送信機、受信機を有する無線方式を採用し、駆動源としてモータを用い、また、歯車、ラック、リンクのような動力伝達部品を用いて遠隔操作しても良い。
【産業上の利用可能性】
【００３９】
本考案は、クランプ本体のスリット口部内に挿入される被吊上物自体、または被吊上物の吊ピースに設けられたピン挿通孔内にその先端部側が挿脱可能な係合ピン体に対するロックピンのロックが三重に行え、安全性が高く、取扱い操作が簡単で工事の施工性が良好になり、また、構造簡単であり、部品数も少なく、製作および組立が容易であるという用途・機能に適する。
【符号の説明】
【００４０】
１    クランプ本体
２    被吊上物
３    スリット口部
４    吊り環部
５    ピン挿通孔
６    係合ピン体
７    ロック手段
８    環状ケーシング
９    外端ボス部
１０  ばね材
１１  筒状ケース
１２  ハンドル
１３  ロック溝部
１４  摺動溝部
１５  案内溝
１６  ロックピン
１７  復帰ばね
Ｉ    軸方向
Ｏ    軸芯方向
Ｐ    半径方向
Ｒ１  ロック位置
Ｓ    周方向
【図１】
0003163697.tif 000003
【図２】
0003163697.tif 000004
【図３】
0003163697.tif 000005
【図４】
0003163697.tif 000006
【図５】
0003163697.tif 000007
【図６】
0003163697.tif 000008